(57)【要約】  【課題】ＤＳＣからプリンタへのダイレクトプリントシステムにおいて、画像の色調整を効率よく行い、ユーザの好みの色調の画像プリントをより簡易に安定して作成することを目的とする。  【解決手段】ＤＳＣで撮影した画像の画像データをプリンタへ転送し、画像の彩度等の色調整をプリンタ側で行い、調整結果をパラメータとしてＤＳＣにフィードバックする。前記パラメータを用いてＤＳＣ内の画像データを予め調整しておくことで、次回からはプリンタ内では、色調整を行うことなく、プリンタに転送された画像をプリントすることで、ユーザの好みの色調の画像プリントが得られる。【選択図】図１
2006238160.tif 000002
【特許請求の範囲】
【請求項１】
画像補正手段を有する画像供給源から、画像調整手段を有する画像出力装置に画像を供給して、画像を出力するに際し、
前記画像出力装置において画像調整手段で画像を調整した際に、調整済画像と未調整画像とから、前記未調整画像を調整済画像とする補正パラメータを設定し、この補正パラメータを前記画像供給源の画像補正手段に反映させることを特徴とする画像処理方法。
【請求項２】
画像補正手段、および、前記画像補正手段の補正パラメータを作成する作成手段を有する画像供給源と、
前記画像供給源から供給された画像を出力用画像に変換する基本変換手段、画像の調整を行う調整手段、前記調整手段による調整に応じて前記基本変換手段を更正する更正手段、前記出力用画像を出力する出力手段、および、前記基本変換手段と逆変換を行う逆変換手段を有する出力装置とを有し、
前記出力装置は、前記出力用画像を前記逆変換手段によって逆変換して、返却画像として前記画像供給源に転送し、
前記返却画像を転送された画像供給源は、前記作成手段において、前記返却画像と自身が出力したこの返却画像に対応する原画像とから、前記補正手段が原画像を補正した際に返却画像となる補正パラメータを作成し、この補正パラメータを前記補正手段に反映させることを特徴とする画像形成システム。
【請求項３】
前記画像供給源が撮像装置である請求項２に記載の画像形成システム。
【請求項４】
前記出力装置がプリンタであって、前記出力手段がハードコピーの出力手段、あるいはさらに画像表示手段である請求項２または３に記載の画像形成システム。
【請求項５】
撮影画像の補正手段と、外部から供給された画像を自身による撮影画像に対応する画像に変換する変換手段と、前記補正手段における補正パラメータを作成するパラメータ作成手段とを有する撮像装置であって、
出力装置から出力画像を取得して、この出力画像を前記変換手段で変換して自身による撮影画像に対応する画像にし、この変換画像と、この変換画像に対応する撮影画像とから、前記パラメータ作成手段において、前記補正手段による撮影画像の補正結果が変換画像となる補正パラメータを作成し、この補正パラメータを前記補正手段に反映させることを特徴とする撮像装置。
【請求項６】
前記画像供給源から供給された原画像を出力用画像に変換する基本変換手段と、画像の調整を行う調整手段と、前記調整手段による調整に応じて前記基本変換手段を更正する更正手段と、前記出力用画像をハードコピーとして出力する出力手段と、前記基本変換手段と逆変換を行う逆変換手段とを有するプリンタであって、
前記逆変換手段によって出力用画像を逆変換して、この逆変換済画像と、この逆変換済画像に対応する原画像とから、原画像を逆変換画像に補正する補正パラメータを設定し、この補正パラメータを前記画像供給源に供給することを特徴とするプリンタ。
【発明の詳細な説明】
【技術分野】
【０００１】
本発明は、主に、プリンタとデジタルスチルカメラとをダイレクトに接続してプリントを作成する画像処理方法および画像形成システムに関する。
【背景技術】
【０００２】
近年デジタルカメラの利用方法に関して、さまざまな提案がなされている。例えば、ＵＳＢなどのシリアルケーブルにより、デジタルスチルカメラ（ＤＳＣ）からプリンタ等の記録装置へ、パーソナルコンピュータを介することなく直接接続してデータを転送し、ＤＳＣで撮影された画像を直接プリントするダイレクトプリントシステムがある。この機能を備えた記録装置が続々と製品化され、普及し始めている。
【０００３】
ＤＳＣからのダイレクトプリントを行う場合に、プリントを行う前に画像の色や彩度の補正が必要な際は、一般的にこれらの調整はＤＳＣ側で簡易的に行っている。その後、調整された画像データはプリンタに転送され、３次元ルックアップテーブル（３Ｄ―ＬＵＴ）などを用いた色空間変換処理を経て、ＤＳＣでの形式から、プリンタに合った形式のデータに変換されて、プリントされる。
【発明の開示】
【発明が解決しようとする課題】
【０００４】
ところが、一般的に、ＤＳＣ側のデータはＲＧＢ形式、プリンタのデータはＣＭＹ形式であるため、両者の領域は一致していない。従って、ＤＳＣから転送された画像データをプリンタで出力するためには、各プリンタ側で、ＤＳＣの色データをプリンタの色データに置き換える作業を行う。そのため、ダイレクトプリントにおいて、このような方法でプリントする画像の調整を行う場合には、ＤＳＣ側では簡易的、単一的な処理しか行うことができず、処理の詳細な調整をすることは難しい。加えて、ＤＳＣ側での調整の結果を確認するためには、その都度プリンタへデータを転送して、画像をプリントする必要があるため、効率がいいとはいえない。
【０００５】
さらに、プリンタは、機種などによって再生する画像の彩度や色相が異なる。また、ＤＳＣは、つながるプリンタは様々である。そのため、ＤＳＣでの調整の結果が、出力するプリンタによって異なってしまい、仕上がりプリントを意図した画像への調整は困難である。このため、ＤＳＣ側で強めに彩度調整の処理をすると、プリンタによっては、階調がつぶれた画像になる（階調破綻）などといった問題が起こる。従って、１台のＤＳＣに対してプリンタを複数台使用する場合には、調整を強めに行うことができず、色相や彩度などの調整を行う際に制限がある。
【０００６】
また、色等の調整機能を有するプリンタもある。ここで、複数のプリンタを使用し、かつ、各プリンタに調整機能を有する場合には、ユーザが自分の好みの調整を、プリンタ毎に覚えておく必要がある。
【０００７】
本発明の目的は、前記従来技術の問題点を解決することにあり、ダイレクトプリントシステムにおいて画像データをプリント出力する際に、好みに応じた画像の色相、彩度などの詳細な調整を効率よく行うことができ、さらに、プリンタ間の機差に左右されることなく、ユーザの意図するプリントをより簡易に安定して作成することができる画像処理方法および画像形成システムを提供することにある。
【課題を解決するための手段】
【０００８】
前記目的を達成するために、本発明の画像形成方法は、画像補正手段を有する画像供給源から、画像調整手段を有する画像出力装置に画像を供給して、画像を出力するに際し、前記画像出力装置において画像調整手段で画像を調整した際に、調整済画像と未調整画像とから、前記未調整画像を調整済画像とする補正パラメータを設定し、この補正パラメータを前記画像供給源の画像補正手段に反映させることを特徴とする画像処理方法を提供する。
【０００９】
また、本発明の画像形成システムは、画像補正手段、および、前記画像補正手段の補正パラメータを作成する作成手段を有する画像供給源と、前記画像供給源から供給された画像を出力用画像に変換する基本変換手段、画像の調整を行う調整手段、前記調整手段による調整に応じて前記基本変換手段を更正する更正手段、前記出力用画像を出力する出力手段、および、前記基本変換手段と逆変換を行う逆変換手段を有する出力装置とを有し、前記出力装置は、前記出力用画像を前記逆変換手段によって逆変換して、返却画像として前記画像供給源に転送し、前記返却画像を転送された画像供給源は、前記作成手段において、前記返却画像と自身が出力したこの返却画像に対応する原画像とから、前記補正手段が原画像を補正した際に返却画像となる補正パラメータを作成し、この補正パラメータを前記補正手段に反映させることを特徴とする画像形成システムを提供する。
【００１０】
このような本発明の画像形成システムは、前記画像供給源が撮像装置であることが好ましく、また、前記出力装置がプリンタであって、前記出力手段がハードコピーの出力手段、あるいはさらに画像表示手段であることが好ましい。
【００１１】
さらに、本発明の撮像装置は、撮影画像の補正手段と、外部から供給された画像を自身による撮影画像に対応する画像に変換する変換手段と、前記補正手段における補正パラメータを作成するパラメータ作成手段とを有する撮像装置であって、出力装置から出力画像を取得して、この出力画像を前記変換手段で変換して自身による撮影画像に対応する画像にし、この変換画像と、この変換画像に対応する撮影画像とから、前記パラメータ作成手段において、前記補正手段による撮影画像の補正結果が変換画像となる補正パラメータを作成し、この補正パラメータを前記補正手段に反映させることを特徴とする撮像装置を提供する。
【００１２】
また、本発明のプリンタは、前記画像供給源から供給された原画像を出力用画像に変換する基本変換手段と、画像の調整を行う調整手段と、前記調整手段による調整に応じて前記基本変換手段を更正する更正手段と、前記出力用画像をハードコピーとして出力する出力手段と、前記基本変換手段と逆変換を行う逆変換手段とを有するプリンタであって、前記逆変換手段によって出力用画像を逆変換して、この逆変換済画像と、この逆変換済画像に対応する原画像とから、原画像を逆変換画像に補正する補正パラメータを設定し、この補正パラメータを前記画像供給源に供給することを特徴とするプリンタを提供する。
【発明の効果】
【００１３】
本発明は、上記構成を有することにより、画像データの色相、彩度などの詳細な調整と確認を効率よく行い、ユーザの意図するプリントをより簡易に作成することを可能にする。つまり、ユーザは、出力されたプリントや表示画像を見ながらプリンタ側で操作を行い、画像の調整をすることができる。さらに、調整結果をＤＳＣにフィードバックするため、一度調整すれば、調整結果をフィードバックしたＤＳＣで撮影を行うことにより、次回からはプリンタによらず、かつプリンタでの調整を行うことなく、ユーザの意図する色調のプリントの作成が可能となる。
また、本発明では、色相や彩度の調整をプリンタで行うので、プリンタの機種などに左右されることがなく、強い調整などに起因する階調の破綻等を防止できる。よって、好みに応じて調整値を強めに設定することができるなど、調整の際の自由度が大きい。
【発明を実施するための最良の形態】
【００１４】
以下、本発明の画像処理方法および画像形成システムについて、添付の図面に示される好適実施例を基に、詳細に説明する。
【００１５】
図１に示すのは、前述のダイレクトプリントにおける、本発明の画像形成システムのブロック図である。
本発明の画像形成システムは、ＤＳＣ１０およびプリンタ２０により構成されている。ＤＳＣ１０とプリンタ２０は、ＵＳＢなどのシリアルケーブルにより、直接接続されている。
【００１６】
ＤＳＣ１０は、撮像手段であるＣＣＤカメラ１２と、ＣＣＤカメラ１２で撮影した画像の画像データに対し補正を行う補正処理手段１４と、メモリ１８とプリンタ２０からそれぞれ受け取った画像データをもとに、色調整パラメータを作成するパラメータ演算手段１６と、ＣＣＤカメラ１２で撮影した画像データを記憶するメモリ１８とを有する。
【００１７】
ＣＣＤカメラ１２は、撮像手段であり、撮影した画像を、ＲＧＢ形式の画像データとして、補正処理手段１４およびメモリ１８へ送る。
【００１８】
補正処理手段１４は、ＣＣＤカメラ１２で撮影された画像に対して、補正を行うものである。補正の内容としては、彩度補正、濃度補正、オートホワイトバランスなどがあげられる。本実施例では、一例として、彩度補正の色調整パラメータをパラメータ演算手段１６で作成する。
補正処理手段１４では、ＤＳＣ１０ごとの特性により独自に定められた補正用パラメータを予め有している。本実施例では、補正用パラメータは３×３の行列式を用いる。また、補正処理手段１４では、ＣＣＤカメラ１２から供給された画像データに対して、補正処理を行う際の演算式を有している。この演算式は、ＣＣＤカメラ１２から供給される未調整の画像の画像データをＲ0Ｇ0Ｂ0、補正処理手段１４で補正された後のデータをＲＧＢ、補正処理手段１４で予め保持している補正用パラメータをａで表す行列式Ａとすると、（１）式のようになる。
2006238160.tif 000003
補正処理手段１４では、この式に則って、画像データの補正を行う。
【００１９】
パラメータ演算手段１６は、プリンタ２０から転送された調整済の画像データ、および、メモリ１８から受け取った、調整済の画像データと同画像の画像データＲ0Ｇ0Ｂ0の両データから、Ｒ0Ｇ0Ｂ0をＲ’Ｇ’Ｂ’に変換するための色調整パラメータ（Ｘとする）を導き出し、補正処理手段１４へ送るものである。
調整済の画像データをＲ’Ｇ’Ｂ’とすると、画像データＲ0Ｇ0Ｂ0を、Ｒ’Ｇ’Ｂ’に変換する式は、（２）式で表すことが出来る。
2006238160.tif 000004
よって、色調整パラメータＸは（３）式の計算により求められる。
2006238160.tif 000005
（３）式を解くことによって、Ｘが導き出される。
【００２０】
メモリ１８は、ＣＣＤカメラ１２で撮影された未調整の画像データを記憶して、適宜パラメータ演算手段１６へ供給するものである。
【００２１】
一方、プリンタ２０は、ＤＳＣ１０から転送された画像データを記憶するメモリ２２と、メモリ２２から受け取った画像データの色調整に使用する調整用３次元ルックアップテーブル（調整用３Ｄ−ＬＵＴ）２４と、調整結果を表示するための表示手段であるモニタ２８と、モニタ２８に画像を表示するための画像データの変換処理を行う表示処理手段２６と、調整用３Ｄ−ＬＵＴで変換された画像データを出力するプリント手段３６とを有する。さらに、画像データの彩度調整を行う色調整手段３０と、色調整手段３０での調整結果を調整用３Ｄ−ＬＵＴ２４に反映するための演算を行う色調整演算手段３２と、調整用３Ｄ−ＬＵＴ２４から受け取った画像データをパラメータ演算手段１６に転送するための変換を行う変換用３次元ルックアップテーブル（変換用３Ｄ−ＬＵＴ）３４と、３Ｄ−ＬＵＴ用メモリ４０とを有する。
【００２２】
メモリ２２は、補正処理手段１４から転送されたＲＧＢ形式の画像データを記憶すると共に、調整用３Ｄ−ＬＵＴ２４に供給する。
【００２３】
調整用３Ｄ−ＬＵＴ２４は、メモリ２２から受け取った画像データの色調整に使用する３Ｄ−ＬＵＴである。
３次元ルックアップテーブル（３Ｄ−ＬＵＴ）とは、デジタル化された輝度階調のデータを任意の階調に補正したり、画像データの形式を変換（色空間変換）したりする際に使用するテーブルである。ここででは、３Ｄ−ＬＵＴは、補正処理手段１４から転送され、メモリ２２に記憶されたＲＧＢ形式の画像データを、ＣＭＹ形式の画像データに変換するのに用いられる。なお、調整用３Ｄ−ＬＵＴ２４は、各プリンタの機種ごとの特性に基づき作成されている。
【００２４】
表示処理手段２６は、調整用３Ｄ−ＬＵＴ２４から供給されたＣＭＹ形式の画像データを、モニタ２８で表示するための、画像データの変換処理を行い、モニタ２８に供給する。
【００２５】
モニタ２８は、表示処理手段２６から供給された画像データを、表示するものである。
【００２６】
プリント手段３６は、調整用３Ｄ−ＬＵＴで変換された画像データを出力する。プリントの出力方法には、特に限定はなく、公知の方法で行えばよい。例えば、プリント手段３６は、インクジェットによる画像記録を行い、画像を再生したプリント３８を出力する。なお、本発明は、インクジェットに限定はされず、印刷、感熱記録媒体を用いるプリンタ、感光感熱記録媒体を用いるプリンタ、感光媒体を用いるプリンタ、電子写真プリンタ等での画像形成（プリント（ハードコピー）作成）に対応するものであってもよい。
【００２７】
色調整手段３０では、モニタ２８に表示された画像を参照して画像データの彩度調整を行う。調整は、例えば、プリンタ２０に接続されている、図示しないキーボードやマウスなどを操作することにより、モニタ２８に表示されている画像の彩度を段階的に変化させて行う方法や、あらかじめプリンタ２０内で用意されている彩度の調整値の中から、ユーザが適当な値を選択する方法などがある。
【００２８】
色調整演算手段３２は、色調整手段３０によって色調整した結果を調整用３Ｄ−ＬＵＴ２４に反映するための演算を行う。演算は、例えば、調整用３Ｄ−ＬＵＴ２４を更正するためのパラメータを作成することにより行う。
【００２９】
変換用３Ｄ−ＬＵＴ３４は、調整用３Ｄ−ＬＵＴ２４から受け取った調整済の画像データを、パラメータ演算手段１６に転送するための変換を行う。つまり、ＣＭＹ形式の画像データＣ’Ｍ’Ｙ’を、ＲＧＢ形式の画像データＲ’Ｇ’Ｂ’に変換する。変換用３Ｄ−ＬＵＴ３４は、更正前の調整用３Ｄ−ＬＵＴ２４の逆行列である。
【００３０】
３Ｄ−ＬＵＴメモリ４０は、初期状態の調整用３Ｄ−ＬＵＴ２４を記憶するものである。画像データの調整を行う際に更正された調整用３Ｄ−ＬＵＴ２４は、調整終了時に、このメモリ４０に記憶されているデータと置き換えられ、初期の状態に戻される。
【００３１】
以下、プリンタ２０において、画像データの色調整パラメータＸを用いて、画像データＲＧＢからＲ’Ｇ’Ｂ’を求める方法について、具体的に述べる。
【００３２】
ＣＣＤカメラ１２で撮影された画像の画像データは、メモリ１８へ供給され、記憶されると共に、補正処理手段１４へ供給され、前述した（１）式に基づいて彩度補正を施される。補正されたＲＧＢ形式の画像データＲＧＢは、メモリ２２へ転送される。メモリ２２では、転送された画像データＲＧＢを、メモリ２２に記憶すると共に、調整用３Ｄ−ＬＵＴ２４へ供給する。調整用３Ｄ−ＬＵＴ２４では、画像データＲＧＢを、ＲＧＢ形式のデータから、ＣＭＹ形式の画像データ（以下、ＣＭＹと呼ぶ）へ色空間変換する。
【００３３】
次いで、調整用３Ｄ−ＬＵＴ２４から表示処理手段２６に、画像データＣＭＹを供給し、表示処理手段２６では、画像データＣＭＹを、モニタ２８に表示するための形式に変換する。変換された画像データは、モニタ２８に送られ、表示される。ユーザは、モニタ２８を見て、好みの色調で画像が表示されているか確認する。好みの色調になっている場合は、画像データＣＭＹを、調整用３Ｄ−ＬＵＴ２４からプリント手段３６に送り、プリント３８として出力する。モニタ２８に表示された画像や、あるいは出力されたプリント３８が、ユーザの好みの色調になっていない場合は、色調整手段３０で、モニタ２８に表示した画像を参照しながら、前述した方法などにより、画像データＣＭＹの彩度調整を行い、ユーザの意図する色調の画像をモニタ２８に再現する。
【００３４】
調整が終了したら、ユーザが行った色調整のデータを、色調整手段３０から色調整演算手段３２へ供給する。色調整演算手段３２では、色調整手段３０から受け取った調整データを基に、調整用３Ｄ−ＬＵＴ２４を更正するパラメータを作成するための演算を行う。色調整演算手段３２で算出されたパラメータは、調整用３Ｄ−ＬＵＴ２４へ送られる。これをもとに、調整用３Ｄ−ＬＵＴ２４は、テーブルのデータを更正する。その後、メモリ２２に記憶されている画像データＲＧＢを、変換された調整用３Ｄ−ＬＵＴ２４を通して、ＣＭＹ形式に変換する。変換された画像データをＣ’Ｍ’Ｙ’とする。この画像データＣ’Ｍ’Ｙ’を、プリント手段３６に送り、プリント３８として出力する。この時、出力されたプリント３８には、モニタ２８で調整した、ユーザの好みの色調が再現されている。
【００３５】
出力されたプリント３８を見て、さらに色調整を行いたい場合は、再度、モニタ２８に画像を表示して、同様に、色調整手段３０にて色調整を行い、これに基づき更正した調整用３Ｄ−ＬＵＴ２４を用いて画像データを変換して、プリントを行う。ユーザの好みの色調のプリントが再現できるまで、これを繰り返す。
このようにして、ユーザの好みの色調でのプリント３８が出力される。
【００３６】
プリントの出力が終了したら、調整された画像データＣ’Ｍ’Ｙ’を、変換用３Ｄ−ＬＵＴ３４へ供給する。画像データＣ’Ｍ’Ｙ’は、変換用３Ｄ−ＬＵＴ３４を通すことにより、再びＲＧＢ形式の画像データとなる。この調整済の画像データをＲ’Ｇ’Ｂ’とする。画像データＲ’Ｇ’Ｂ’は、パラメータ演算手段１６に転送される。
【００３７】
なお、調整が完了して、画像データＣ’Ｍ’Ｙ’が変換用３Ｄ−ＬＵＴ３４へ送られたら、調整用３Ｄ−ＬＵＴ２４は、３Ｄ−ＬＵＴ用メモリ４０内に記憶されている、更正前の３Ｄ−ＬＵＴに置き換えられる。
【００３８】
パラメータ演算手段１６では、受け取った画像データＲ’Ｇ’Ｂ’と、メモリ１８から供給された、Ｒ’Ｇ’Ｂ’と同画像の未調整の画像データＲ0Ｇ0Ｂ0から、（３）式の演算を行い、パラメータＸを算出して、補正処理手段１４へ供給する。補正処理手段１４では、パラメータＸを、予め保持しているパラメータＡの代用をするものとして、記憶する。
また、接続するプリンタが複数存在する場合は、補正処理手段１４へ、プリンタごとの複数のパラメータＸを記憶しておくことも可能である。その際は、保存するパラメータＸが、どのプリンタに適応するものであるか、関連付けできるようなデータを、パラメータＸと共に保存しておくことが必要である。
【００３９】
このようにして、パラメータ演算手段１６で導き出した色調整パラメータＸを、補正処理手段１４に保存しておくことにより、以後のプリントにおいては、補正処理手段１４で調整パラメータＸを用いて補正処理を行うだけで、プリンタ２０での色調整処理を行うことなく、ユーザの好みの彩度の画像を安定してプリントすることが可能となる。
【００４０】
本実施例では、プリンタ２０で２つの３Ｄ−ＬＵＴを保持しているが、３Ｄ−ＬＵＴは、データの容量が大きいため、プリンタ内で保持することが困難な場合がある。その場合は、３Ｄ−ＬＵＴ用メモリ４０を保持していれば、調整用３Ｄ−ＬＵＴ２４は必ずしも常に保持しておく必要はなく、調整の際に、その都度、３Ｄ−ＬＵＴ用メモリ４０をコピーして、調整用３Ｄ−ＬＵＴ２４として使用してもよい。また、色調整パラメータＸが算出された時点で、コピーした調整用３Ｄ−ＬＵＴ２４は削除してもよい。また、必要な時に外部の記憶媒体から３Ｄ−ＬＵＴを読み出し、使用後は３Ｄ−ＬＵＴをプリンタから破棄するという形にしてもよい。
【００４１】
また、本実施例では、ＤＳＣではＲＧＢ形式、プリンタではＣＭＹ形式のデータを用いて、プリンタで色空間変換を行っているが、本発明はこれに限定されることはなく、ＤＳＣの形式とプリンタの形式とを、機種ごとの特性も合わせて変換できるシステムであれば、入出力の際のデータ形式は限定されない。
【００４２】
さらに、本実施例では、色調整パラメータＸを用いて画像データＲＧＢをＲ’Ｇ’Ｂ’へ変換する処理を、ＤＳＣ１０内で行っているが、本発明はこれに限定はされず、この処理をプリンタ２０で行ってもよい。つまり、補正処理手段１４およびパラメータ演算手段１６をプリンタ２０側で有するシステムであってもよい。この場合は、ＤＳＣ１０から転送された画像データＲＧＢに対して、プリンタ２０で色調整を行った後、変換用３Ｄ−ＬＵＴ３４から得た画像の画像データＲ’Ｇ’Ｂ’と、メモリ２２に記憶されている同画像の画像データＲＧＢから、プリンタ２０が有するパラメータ演算手段１６で色調整パラメータＸを算出し、メモリ２２などの記憶手段に記憶して、ＤＳＣ１０から転送される画像データＲＧＢに対して、記憶された色調整パラメータＸを用いて、プリンタ２０が有する補正処理手段１４で、Ｒ’Ｇ’Ｂ’への変換を行い、プリントを出力する。
【００４３】
また、それとは逆に、色調整パラメータＸを用いて画像データＲＧＢをＲ’Ｇ’Ｂ’へ変換する処理および、色調整処理を、全て、ＤＳＣ１０内で行う方法もある。つまり、ＤＳＣ１０が、本実施例のプリンタ２０における、プリント手段３６以外の全ての機能を有するシステムであってもよい。接続するプリンタが複数ある場合は、ＤＳＣ１０は、各プリンタの３Ｄ−ＬＵＴを、複数保持することになる。
【００４４】
もしくは、パラメータ計算等の、ＤＳＣで行っている処理を、外部に接続するＰＣなどで行い、プリンタに供給してもよい。
【００４５】
さらに、ユーザが調整した設定を、次回撮影時にＤＳＣ側で反映させることも可能である。つまり、例えば、プリンタでの色調整時に、明度を上げる調整を行い、色調整パラメータを作成した場合、ＤＳＣ側で、調整パラメータの値から調整の内容を読取り、撮影時に絞りを開けるなどして、明度が高めの画像を撮影できるようにするといったことが可能である。このような方法で、色調整の結果を撮影条件に反映することもできる。
【００４６】
また、本実施例では、色調整は、１コマずつ行っているが、本発明は、これに限定はされず、複数の画像に対して同時に色調整を行ってもよい。その場合は、複数の画像を同時に、インデックスとしてモニタ２８に表示、もしくはプリントしてもよい。
【００４７】
このようにして、本発明では、ユーザの各種調整をプリンタで行い、調整結果をＤＳＣにフィードバックして、ＤＳＣ側で調整した結果を変換パラメータに再作成することができる。その結果、前述したように、画像データの彩度などの詳細な調整を効率よく行い、ユーザの好みのプリントをより簡易に作成することが可能となる。さらに、調整結果をＤＳＣ内に保存するため、一度調整すれば、次回からはプリンタでの調整を行うことなく、保存されている調整結果を参照して、常にユーザの好みに合った色調のプリントを安定して作成できる。また、本発明では、各プリンタで固有の調整パラメータを使用するため、各プリンタの機種などにより生じる階調の破綻が防止できる。よって調整の際に制限がなく、自由度が大きい。
【００４８】
以上、本発明の画像処理方法および画像形成システムについて詳細に説明したが、本発明は上記実施例に限定はされず、本発明の要旨を逸脱しない範囲において、各種の改良や変更を行ってもよいのは、もちろんである。
【図面の簡単な説明】
【００４９】
【図１】本発明の画像形成方法の一例の概念を示すブロック図である。
【符号の説明】
【００５０】
１０  ＤＳＣ
１２  ＣＣＤカメラ
１４  補正処理手段
１６  パラメータ演算手段
１８  メモリ
２０  プリンタ
２２  メモリ
２４  調整用３Ｄ−ＬＵＴ
２６  表示処理手段
２８  モニタ
３０  色調整手段
３２  色調整演算手段
３４  変換用３Ｄ−ＬＵＴ
３６  プリント手段
３８  プリント
４０  ３Ｄ−ＬＵＴ用メモリ
【図１】
2006238160.tif 000006